(57)【要約】      （修正有）【課題】中蓋と上蓋とからなり、打栓方式で中蓋口部に嵌着する容器蓋における分別廃棄時の容器と蓋の取り外しを容易に達成し、且つ悪戯防止を図ることができる合成樹脂製容器蓋を提供する。【解決手段】中蓋の外筒下端部に設けた突状枠部の一部に指の挿入が可能な円弧状の長孔を形成するとともに、該長孔形成部の外筒内壁面に破断可能な周方向弱化部を形成し、長孔形成部の突状枠部の上端から下端近傍に亘りＶ字状の薄肉部を設ける。【選択図】図１
0003125465.tif 000002
【実用新案登録請求の範囲】
【請求項１】
容器の口部に打栓装着される合成樹脂製の容器蓋であって、該容器蓋は、内筒と外筒及び上壁により構成された容器口部を密封する中蓋と、該中蓋に装着される上蓋とからなり、該中蓋の外筒下端に形成された突状枠部の一部には該突状枠部を垂直に貫通する長孔が形成されるとともに、外筒下端と少なくとも長孔を形成した突状枠部上端との境界部には破断可能な周方向弱化部を延設し、該長孔の端部に近接する該突状枠部の上端から下端近傍には該周方向弱化部に連設する縦方向弱化部を付設したことを特徴とする合成樹脂製容器蓋。
【請求項２】
前記上蓋は、その下端面が前記中蓋への装着時に前記突状枠部の上端面に当接し、前記長孔が前記上蓋により隠蔽されることを特徴とする請求項１に記載の合成樹脂製容器蓋。
【請求項３】
前記縦方向弱化部はＶ字状の薄肉部であることを特徴とする請求項１又は２に記載の合成樹脂製容器蓋。
【考案の詳細な説明】
【技術分野】
【０００１】
本考案は容器口部に装着する合成樹脂製の容器蓋に関するものであり、更に詳細に述べると、容器の内容物を消費した後、蓋と容器とを容易に分離することができる所謂分別回収可能な合成樹脂製の容器蓋に関するものである。
【背景技術】
【０００２】
従来から、容器の口部に嵌合する中蓋と、中蓋に装着される上蓋とからなり、中蓋に設けられた内筒と外筒との空間に容器口部を強固に嵌着して、容器内を密封する形式の合成樹脂製の容器蓋が、各種液体調味料容器などに使用されている。近年、環境保護、省資源の見地から家庭で排出されるごみの分別が望まれており、容器蓋についても消費者が内容物を消費後、容器から取り外して分別することが求められている。
【０００３】
しかしながら、通常、この種の容器蓋は中蓋が容器口部に打栓方式によって強固に嵌着されているので、中蓋の取り外しが容易でない。このため、例えば特許文献１に開示されているように、中蓋の側壁下端に周方向に弱化部（線）を形成し、該弱化部の基端部に把持片（タブ）を延設した蓋が用いられている。この種の容器蓋においては、消費者は把持片を指先で摘んで周方向に引っ張ることにより中蓋の下端側壁を弱化部において裂き切り、蓋の容器への嵌合力を弱めて蓋の取り外しを行うものである。
【０００４】
しかし、特許文献1に記載の従来の容器蓋において、中蓋を弱化線から引き裂くに当たっては、裂き切りの初期段階において、薄板で形成された把持片を摘んで引っ張る際に強い引張り力を必要とするため、高齢者や子供では、この分別作業が困難である。又濡れた手では、把持片を摘んだ指が滑るので引っ張り操作による中蓋の取り外しがより困難となるという問題があった。
【０００５】
特許文献１に示された容器蓋における問題点を回避するために、特許文献２に示されるように、中蓋の外筒基端部の弱化線形成部分に指先の差し込みが可能な補助引き手部を別個に設けたり、特許文献３に示されるように、該弱化線形成部分に引き出し可能な第２の横設板を突設して回収に際して該横設板を引き出して引き手とし、これに指を引っ掛けて引っ張り操作を行うようにしたものが開発されている。
【０００６】
【特許文献１】特開２００１−１４６２５０号公報
【特許文献２】特開２００１−１０６２４６号公報
【特許文献３】特開２００１−４８２１４号公報
【考案の開示】
【考案が解決しようとする課題】
【０００７】
しかし、これら特許文献２及び特許文献３に示されるものは、引き手（把持片）が中蓋外筒面から大きく突出して設けられているために、容器の流通過程、特に店頭での陳列時等に悪戯により弱化部が破断される恐れがある。本考案は、上述のように、合成樹脂製容器蓋の取り外しに際しての問題点や、流通過程における問題点を解決するものであり、把持片の引っ張り操作を容易且つ確実に行うことにより容器から蓋を容易に取り外すことができ、且つ流通過程における悪戯を防止することができる合成樹脂製の容器蓋を提供することにある。
【課題を解決するための手段】
【０００８】
本考案によれば、容器の口部に打栓装着される合成樹脂製の容器蓋であって、該容器蓋は、内筒と外筒及び上壁により構成され容器口部を密封する中蓋と、該中蓋に装着される上蓋とからなり、該中蓋の外筒下端に形成された突状枠部の一部には該突状枠部を垂直に貫通する長孔が形成されるとともに、外筒下端と少なくとも長孔を形成した突状枠部上端との境界部には破断可能な周方向弱化部を延設し、該長孔の端部に近接する該突状枠部の上端から下端近傍には周方向弱化部に連設する縦方向弱化部を付設したことを特徴とする合成樹脂製容器蓋が提供される。
【０００９】
本考案において、上蓋はその下端面が中蓋への装着時に突状枠部の上端面に当接し、長孔が上蓋により隠蔽されることを特徴とする。また縦方向弱化部は、Ｖ字状の薄肉部であることを特徴とする。
【考案の効果】
【００１０】
本考案によれば、容器口部からの蓋の取り外しに際して、中蓋の突状枠部に形成した長孔に指を挿入することにより、確実且つ強固に突状枠部を把持することができる。このため、弱化部の裂き切りを容易におこなうことができる。
又、突状枠部に形成された長孔は、上蓋によって隠蔽された状態になっているので、店頭陳列時などにおいて、不測の悪戯による弱化部の引き裂きを完全に防止することができる。
【考案を実施するための最良の形態】
【００１１】
本考案の実施の形態を実施例に基づいて図面を参照して説明する。図１は本考案の容器蓋における中蓋の半断面正面図であり、図２は中蓋に上蓋を装着した状態での半断面正面図である。図３は図１に示す中蓋の底面図である。又図４a及び図４ｂは、図１に示す中蓋の長孔８を形成した突状枠部６付近の説明拡大図である。
【００１２】
図１、図２に示すように、容器蓋１００は中蓋４と上蓋５とを主な構成部材とする。中蓋４は内筒１、外筒２、上壁３により構成され、打栓装着機により、内筒１、外筒２の空間に図示しない容器の口部が嵌合装着される。上壁３の上側には内容物の注出路となる注出筒１１が設けられる。又、注出筒１１の空間を隔てた外周円上には螺条筒１２が形成されている。中蓋４に装着される上蓋５は、注出筒１１の内面に密接するインナーリング１８とブリッジ１７を介して接続されるタンパーエビデントバンド１９、中蓋４の外筒２外周面に形成された係止突起１６に係止する被係止突起１０とからなる。なお、本考案における容器蓋１００は、他の実施形態として、タンパーエビデントバンド１９、係止突起１６、被係止突起１０及び中蓋４に形成された係止突起１６を具備しないものでもよいが、この場合、後述するように、上蓋５は少なくとも突状枠部６の長孔８を隠蔽する形態である必要がある。
【００１３】
外筒２の下端部には、突状枠部６が外筒２よりも大径に形成されている。好適には、突状枠部６の外周面と上蓋５の下端（タンパーエビデントバンド１９）外周面とが、ほぼ面一であることが体裁が良く望ましい。該突状枠部６には、指の挿入が可能な円弧状の長孔８が垂直方向に穿設され、この部分に指２０を差し込むことにより、突状枠部６を容易に把持できるようになっている。
【００１４】
図３、図４ａ、図４ｂを参照して説明を続けると、長孔８を形成した突状枠部６の端部を開始点として、外筒２下端と突状枠部６の境界には破断可能な弱化部７が周方向に形成されている。弱化部７は好適には、９０度から２７０度の範囲に亘り形成されるのが望ましい。また、開始点（即ち周方向弱化部７の基端部）には、突状枠部６の上端から下端近傍に至る縦方向弱化部が形成されている。該縦方向弱化部は、Ｖ字状の薄肉部１３であることが好ましく、長孔８を形成した突状枠部６は弱化部７と薄肉部１３とにより、区画されている。なお、図４ａに示すように薄肉部１３の下方には、打栓装着時に薄肉部１３が破断しないように接続部９が形成されている。
【００１５】
次に上述したように構成された容器蓋１００の使用形態について説明する。
図示しない容器へ液体調味料を充填した後、容器蓋１００を図示しない打栓装着機を用いて、容器の口部へ嵌合装着させ、最終製品とする。このときは薄肉部１３を形成した突状枠部６は接続部９により補強されているので、打栓による強い衝撃で薄肉部１３が破断することを有効に防止する。
【００１６】
製品の流通段階、特に店頭での陳列時には、長孔８及び周方向弱化部７は上蓋５により完全に隠蔽されているので、悪戯による弱化部の不正破断等の虞がない。また埃が長孔８に溜まることもない。
【００１７】
内容物の使用に際しては、上蓋５を取り外し、プルリング１５を指２０で摘み、斜め上方に引っ張り上げることで、開口予定部１４を分離除去し、内容物を注出する。最初の上蓋５の開蓋時には、タンパーエビデントバンド１９の内面に形成した被係止突起１０と中蓋４の外筒２外面に形成した係止突起１６とが、開蓋方向に係止し、一定以上の回転力を与えると、ブリッジ１７が破断し開蓋が達成されるため、開蓋したことが目視確認できる。
【００１８】
次に、内容物を消費後の容器と蓋との分別方法について説明する。図４ｂに示すように、突状枠部６に形成された長孔８に指２０を差し入れて前方に引っ張ると、長孔８の近傍に形成した薄肉部１３、接続部９が破断するとともに、周方向に延設される弱化部７が裂き切られて、外筒２及び突状枠部６による容器口部１０への締め付け力は解除される。この状態で突状枠部８の破断片を上方に引っ張り上げると、中蓋４は容器から容易に分離する。
【図面の簡単な説明】
【００１９】
【図１】本考案の容器蓋の中蓋の一部断面正面図である。
【図２】本考案の容器蓋の上蓋を中蓋に装着した状態の一部断面図である。
【図３】図１に示す中蓋の底面図である。
【図４ａ】図１に示す中蓋の一部拡大図である。
【図４ｂ】図１に示す中蓋の一部拡大図である。
【符号の説明】
【００２０】
１  内筒
２  外筒
３  上壁
４  中蓋
５  上蓋
６  突状枠部
７  弱化部
８  長孔
９  接続部
１０  被係止突起
１１  注出筒
１２  螺条
１３  縦方向弱化部（薄肉部）
１４  開口予定部
【図１】
0003125465.tif 000003
【図２】
0003125465.tif 000004
【図３】
0003125465.tif 000005
【図４ａ】
0003125465.tif 000006
【図４ｂ】
0003125465.tif 000007